(57)【要約】【課題】  自主的運動学習は、運動がマンネリズムで満足した運動ができず、実践的な運動ができない不十分さ、課題や達成レベルが不透明であり、身体の運動も単純で躍動感や迫力に欠け、興味の継続性がないという不都合を解決すること。【解決手段】  立体構造物の各利用目的である運動種目に応じた抵抗を作るために、立体構造物に力点のおもりと作用点のおもり間の支点であるバネ、ゴム系での力の大きさが変わることとバネ、ゴム系の弾性による抵抗体や立体構造物の形状とおもり、バネ、ゴム系の弾性配置場所、おもりの重さで、重心の位置移動による抵抗体の全体が比較的柔軟性で耐久性のある固体物とするものを作り、立体構造物を通して、外部からの働く力と内部からの反発した力の作用、反作用の相対した運動をすることによって、立体構造物運動用具が負荷を保有することにより、この課題を解決する。【選択図】    図１
2007105419.tif 000002
【特許請求の範囲】
【請求項１】
立体構造物におもりの重さ・重心とバネ、ゴム系の弾性を融合し、全体を比較的柔軟性のある固体物とすることでの作用、反作用により、運動形態能力の抵抗体ができることを特徴とする負荷保有の立体構造物運動用具。
【請求項２】
擬似身体モデル、変形球、その他などの立体構造物の各利用目的である運動種目に応じた抵抗を作るために、様々な形体をした立体構造物に、適度なおもりと適度なバネ、ゴム系を適度に組み合わせて、立体構造物の内部を含む、全体を適度なクッション系の耐久性のある物で覆い、立体構造物全体は比較的柔軟性のある固体物にして、立体構造物に力点のおもりと作用点のおもり間の支点であるバネ、ゴム系を介して、力点と作用点のおもりの重さに偏差を持たすことで、力点と作用点の力の大きさが変わることとバネ、ゴム系の弾性を利用し、立体構造物での外力と内力のつり合いをコントロールするような抵抗の物体を作り、あるいは、立体構造物の形状やおもり、バネ、ゴム系の配置場所、おもりの重さによって、重心の位置を選定することができ、立体構造物を外力により動かすことで、内部の重心はリアルタイムで移り変わり、更に、バネ、ゴム系の弾性によって、複雑化したものになり、内力との均衡を保つのに、外部からの外力の大きさに強弱の変化が現れるような抵抗の物体を作り、立体構造物を通して、外部からの働く力と内部からの反発した力の作用、反作用の相対した運動をするようにし、各運動形態、運動能力、運動感覚により、立体構造物の立体形状、大きさ、重さ、抵抗力、耐久強度、機能、構成、固定・移動の使い方などのカテゴリーを駆使した普遍的なものを設けることによって、充実した主体的運動学習が可能で、立体構造物の抵抗体全体が相対的運動をすることを特徴とする請求項１記載の負荷保有の立体構造物運動用具。
【発明の詳細な説明】
【技術分野】
【０００１】  本発明は、スポーツ用具の立体構造物運動用具に関するものであり、立体構造物運動用具の特有の形状、構成、機能に工夫を加えることによって、立体構造物運動用具を抵抗体である負荷を保有するようにし、相対的運動ができるようにしたものである。
【背景技術】
【０００２】  従来、自主的、主体的運動学習をする場合、適応する十分な運動用具が不足しているため、満足する運動できないのが現状であり、まして、各運動種目の実践を想定した運動では、顕著に運動スキルへの発展性が乏しく、各自の工夫による運動とイメージトレーニングが運動のスタイルになっている。
【発明の開示】
【発明が解決しようとする課題】
【０００３】  しかし、従来のような自主的、主体的運動学習では、運動の力量、質ともにマンネリズムになって、満足した運動ができず、実践に対応した運動ができない不十分さがある。又、運動の形態、能力、感覚によっても運動の学習内容、課題や達成レベルなどの自己評価が不透明であり、身体の運動も単純で躍動感や迫力に欠け、興味の持続性がないのが現状である。本発明は、これらの不都合を解決することを課題とする。
【課題を解決するための手段】
【０００４】  この課題を解決するための請求項１の発明は、立体構造物におもりの重さ・重心とバネ、ゴム系の弾性を融合し、全体を比較的柔軟性のある固体物とするようにして、各運動種目の人間の体型、筋力、関節に近いものと形状、おもりの位置移動によってできる変化ある抵抗体を作るのに、おもり、バネ、ゴム系、クッション系などを総合的に効果があるように調整して、整合性を有した立体構造物での作用、反作用により、運動形態能力の抵抗体ができることを特徴とする負荷保有の立体構造物運動用具である。【０００５】  又、請求項２の発明は、擬似身体モデル、変形球、その他などの立体構造物の各利用目的である運動種目に応じた抵抗を作るために、様々な形体をした立体構造物に、適度なおもりと適度な強弱のある各部が異なったバネ、ゴム系を適度に組み合わせて、立体構造物の内部を含む、全体を適度なクッション系の耐久性のある物で覆い、立体構造物全体は比較的柔軟性があり、立体構造物内部はおもり、バネ、ゴム系、クッション系、その他のものを混ぜ合わせた固体物にして、バネの周囲はゴム系などの弾力性があるものでバネと併用し、バネとゴム系の弾性強度は追従したものでバランスが取れたものにして、おもりはバネとゴム系の相乗作用の威力が効果的になる部分に配置する。立体構造物に力点のおもりと作用点のおもり間の支点であるバネ、ゴム系を介して、力点と作用点のおもりの重さに偏差を持たすことで、力点と作用点の力の大きさが変わることとバネ、ゴム系の弾性を利用し、立体構造物での外力と内力のつり合いをコントロールするような抵抗の物体を作る。あるいは、立体構造物の形状やおもり、バネ、ゴム系の配置場所、おもりの重さによって、重心の位置を選定することができ、立体構造物を外力により動かすことで、内部の重心はリアルタイムで移り変わり、更に、バネ、ゴム系の弾性によって、複雑化したものになり、内力との均衡を保つのに、外部からの外力の大きさに強弱の変化が現れるような抵抗の物体を作り、立体構造物を通して、外部からの働く力と内部からの反発した力の作用、反作用の相対した運動をするようにする。又、強力な外力、内力の衝撃や圧力が頻繁に掛かっても耐えられるものにする。各運動形態、運動能力、運動感覚により、立体構造物の立体形状、大きさ、重さ、抵抗力、耐久強度、機能、構成、固定・移動の使い方などのカテゴリーを駆使した普遍的なものを設けることによって、充実した主体的運動学習が可能で、人間と立体構造物の抵抗体全体が相対して運動をする、負荷保有の立体構造物運動用具ができる。
【発明の効果】
【０００６】  本発明により、自主的、主体的運動学習の活性化が図れ、他者に関係なくマイペースメニューで運動が可能であり、運動の力量、質ともに格段充実したものになり、各種運動パターンを習慣的に繰り返し練習することで、運動技術を習得し、運動能力を高める満足ある運動体制が確立できる。【０００７】  実践に対応した運動が可能であり、立体構造物の抵抗体全体が相対的運動をすることから、人間が相手のような気づかいが皆無になり、各自が課題の各擬似身体モデルの体型と一体となって思う存分、容赦のない運動で自分自身の高いスキルのレベルアップでの戦いができ、身体能力の向上に効果的で威力を発揮することができる。【０００８】  本発明の立体構造物の抵抗体は、運動の形態、能力、感覚により、運動の学習内容、課題や技術技能の達成レベルなどを各自に適合した負荷調整が選択でき、自由な形でパフォーマンスができるため、初心者からエキスパートまでの全階級を対象とした主体的運動学習を効率的に成し遂げることが可能であり、それぞれの幅広い利用ができる奥深いマテリアルを提供することができる。【０００９】  立体構造物全体が比較的柔軟性であり、利用者が適した負荷を選ぶことから、運動をするのに支障がなく、一般の健全者は勿論のこと、障害者、幼児、高齢者などの運動の向上、強化や体力と健康の維持、傷害者のリハビリテーションなどを目的とした活用ができ、ストレッチング、リラクセーション、ストレス解消にも有用であり、快適に楽しむことができる。【００１０】  自発的な運動欲求において、運動の技術課題や運動の挑戦対象をするのに、練習相手がいなくても、擬似身体モデル、その他の立体構造物を実践に近い状態で、運動とトレーニングが自主的、主体的にいつでも可能である利便性があり、躍動感、達成感、迫力に富んだ緊張感の中で競争意欲の持続性を保って運動をすることができる。【００１１】  運動の学習内容、課題、修正や技術レベルなどの目標を達成するための方向性を見るのに、立体構造物を利用することが大きな指標となり、自己の運動能力の実態を事前、実施過程、終了時に評価することによって、運動を喚起し、意欲化、動機づけの強化が図られる。【００１２】  本発明の図１は、格闘技系のスポーツ全般、各スポーツトレーニングに適応したもので、立体構造物を固定した状態での立ち技の各技術の基本から応用練習、立体構造物を立たせての正確に技に入る、技の研究練習、その他のトレーニングなどを提供することができる。【００１３】  本発明の図２は、格闘技系のスポーツ全般、各スポーツトレーニングに適応したもので、立体構造物を移動することでの立ち技の各技術の基本から応用練習、立体構造物と一体化した動きの中での技のタイミング・リズム、連続技の研究などをある間合いを持っての練習、その他のトレーニングなどを提供することができる。【００１４】  本発明の図３は、格闘技系のスポーツ全般、各スポーツトレーニングに適応したもので、立体構造物を固定、移動しての立ち技の各技術の基本から応用練習、及び、攻め込みの練習、常に立体構造物は立つことを維持するので、攻め込みが終わっても、次の攻め込みを待ったなしで連続的に技が掛けられ、リズム感のある技のスピードアップなどの練習、その他のトレーニングなどを提供することができる。【００１５】  本発明の図４は、格闘技系のスポーツの一部、各スポーツトレーニングに適応したもので、立体構造物を固定、移動しての固め技（寝技）の各技術の基本から応用練習、及び、攻め込みの練習、立体構造物のうつ伏せから仰向けにする力の配分、体重加圧のバランス感覚、堅実な固め技の研究練習、その他のトレーニングなどを提供することができる。【００１６】  本発明の図５は、各種のスポーツ全般、各スポーツトレーニングに適応したもので、立体構造物を固定、移動しての運動能力、運動感覚の基本から応用練習、大きく分けて、立体構造物を反対にひっくり返す力の配分とその上に乗るバランス感覚の２つの練習、立体構造物の抵抗体を小さくすると遊具としても利用が可能、その他のトレーニングなどを提供することができる。【００１７】  本発明の図１〜図５は、利用の仕方によって、筋力トレーニング、ストレッチング、日常生活での運動不足解消などのフィットネスに有効であるのに加えて、リハビリテーション、リラクセーション、ストレス解消などにも効力を発揮することができ、用途範囲が大きいものである。
【発明を実施するための最良の形態】
【００１８】  図１は、立体構造物（固定）の概略図例１で、立体構造物固定盤Ｅ上の立体構造物サポート口Ｆに立体構造物Ａの擬似身体モデルを配置し、立体構造物の内部には、適度な関節部に強弱のある各部が異なったバネ・ゴム系（バネ）Ｃ、適当な位置に各部重さの異なったおもりＢを組み込んで、内外部のバネ部を除く全体を固体にした比較的柔軟な耐久性がある材質のものを使って、立体構造物を立体構造物サポート口にはめ込むようにする。立体構造物固定盤は立体構造物を支える十分な重しを保有した固定盤である。立体構造物固定盤と立体構造物サポート口と立体構造物間の力の強さや耐久性などが協調の取れたものとし、運動負荷に応じて、立体構造物の抵抗体を取り替えることができるように、立体構造物は多種多目的のものを設けるようにする。従って、立体構造物固定盤と立体構造物サポート口は立体構造物の最小から最大負荷までのものとバランスが取れた構成にし、強力な負荷が掛かっても立体構造物が倒れないようにする。【００１９】  図１で、立体構造物のバネの周囲はゴム系などの弾力性があるものを併用し、バネとゴム系の弾性強度は追従したものでバランスが取れたものにする。おもりはバネとゴム系の相乗作用の威力が効果的になる部分に配置するのが最良である。立体構造物は大きな外力、内力の衝撃や圧力が頻繁に掛かっても耐えられるものにする。立体構造物内部はおもり、バネ、ゴム系、クッション系、その他のものを混ぜ合わせた固体物である。立体構造物固定盤は重しと練習場を併用した盤であり、盤の重さと広さは運動レベルに適合したものを選び、表面はクッション系の耐久性のあるものとする。又、立体構造物固定盤は図１では円形であるが、どんな形でも良く、立体構造物固定盤にある立体構造物サポート口は取り外しが可能であり、外周の表面はクッション系の耐久性のあるものとする。立体構造物固定盤は折りたたみ式、組立解体式にすることもできる。【００２０】  図１のものは、立体構造物を固定したものであるが、立体構造物サポート口部を可動部に変更し、立体構造物の両サイドを強力バネなどで保持することで、立体構造物を前後に動かすことができる。又、前方から強力な圧力が掛かる場合は立体構造物の後ろの背中、腰部などをつっかいする、衝撃を緩和、吸収する取り付け取り外しが容易なものを設けることもできる。更には、立体構造物は前方からの強い圧力に対して、立体構造物が後ずさりするような構成にすることも可能である。立体構造物の腕、手首などのに剛力が掛かる、引き手が強い場合は立体構造物の後ろの背中、腰部などと立体構造物の後ろに設置する支柱からの強力バネを介して対応することも可能である。【００２１】  図１で、立体構造物の擬似身体モデルの形状、重さなどは一般的に各スポーツタイプの体型を参考にしたものにするが、その限りではない。又、立体構造物の腰部の関節部は、特にバネ、ゴム系の強度を高める必要があり、腰、膝、肩などは前後の弾力に加え、左右への弾力もできるのが望ましい。従って、各運動種目の人間の体型、筋力、関節に近いものである、おもり、バネ、ゴム系、クッション系などで整合するようにした立体構造物が理想である。立体構造物への作用、反作用は運動能力レ���ルによって、負荷能力が変化したものにする。【００２２】  図１は、格闘技系のスポーツ全般、各スポーツトレーニングなどを立体構造物を固定した状態での各立ち技である打撃系、組み技の殴る、蹴る、叩く、押す、突く、引く、各投げ技、組み合う、タックル、関節技などの導入段階での技に入る練習。その他の筋力トレーニングで立体構造物の腰回りに両足を絡ませたり、あるいは、両足を立体構造物の股の下にして、立体構造物の首、腕、手首を掴んでの腹筋、背筋、腕筋など。各リハビリテーション、ストレッチング、リラクセーション、ストレス解消で立体構造物の肩、腕、手首を手で押したり、引っ張たりするなどの適応できるようにしたものにする。【００２３】  図２は、立体構造物（移動）の概略図例２で、立体構造物Ａの内部は、適度な関節部に強弱のある各部が異なったバネ・ゴム系（バネ）Ｃ、適当な位置に各部重さの異なったおもりＢを組み込んで、内外部のバネ部を除く全体を固体にした比較的柔軟な耐久性がある材質のものを使って、立体構造物の擬似身体モデルの頭上部、両肩後部、腰後ろ上部の左右の骨盤などの各部分から、各強力バネである立体構造物サポートバネＨを介して立体構造物サポート枠Ｇ間を結んで、立体構造物を支え、立体構造物サポートバネは各種強度、長さを抵抗体に応じて保持し、取り付け取り外しができるようにして、立体構造物サポート枠の下部に設けた立体構造物サポート車Ｉは、どの方向へも自由に動くもので、立体構造物サポート車、又は、図２の構成上には制動調整要素を保有することで、立体構造物の重量（擬似身体モデル）と立体構造物サポート枠の動く速度間の運動の負荷協調ができるようにするのが理想的であるが、制動調整要素がなくてもよい。図２には、立体構造物サポート枠があるが、それに代わるもので立体構造物と一体化して運動できるものであれば、この限りではない。又、立体構造物の足部、腰部はフリーにしておき、足技、腰技、タックル、キックなどができやすいようにする。本来は立体構造物サポート枠なしで、立体構造物のみが安定した動きができるのが一番良い。立体構造物サポート枠内で立体構造物と相対運動をする。【００２４】  図２で、立体構造物のバネの周囲はゴム系などの弾力性があるものを併用し、バネとゴム系の弾性強度は追従したものでバランスが取れたものにする。おもりはバネとゴム系の相乗作用の威力が効果的になる部分に配置するのが最良である。立体構造物は大きな外力、内力の衝撃や圧力が頻繁に掛かっても耐えられるものにする。立体構造物内部はおもり、バネ、ゴム系、クッション系、その他のものを混ぜ合わせた固体物である。【００２５】  図２で、立体構造物の擬似身体モデルの形状、重さなどは一般的に各スポーツタイプの体型を参考にしたものにするが、その限りではない。又、立体構造物の腰部の関節部は、特にバネ、ゴム系の強度を高める必要があり、腰、膝、肩などは前後の弾力に加え、左右への弾力もできるのが望ましい。従って、各運動種目の人間の体型、筋力、関節に近いものである、おもり、バネ、ゴム系、クッション系などで整合するようにした立体構造物が理想である。立体構造物への作用、反作用は運動能力レベルによって、負荷能力が変化したも��にする。【００２６】  図２は、格闘技系のスポーツ全般、各スポーツトレーニングなどを立体構造物を移動することでの各立ち技である打撃系、組み技の殴る、蹴る、叩く、押す、突く、引く、各投げ技、組み合う、タックル、関節技などの導入段階での技の連続、タイミング、間合いの練習。その他の筋力トレーニングで立体構造物サポート枠の枠を利用して、懸垂、あるいは、遊具のうんていのように懸垂しながら移動することでの腹筋、背筋、腕筋、握力など。各リハビリテーション、ストレッチング、リラクセーション、ストレス解消で立体構造物サポート枠にぶら下がって身体全体を伸ばしたり、サポート枠を手で押したり、引っ張たりしての歩行などの適応できるようにしたものにする。【００２７】  図３は、立体構造物の概略図例３で、立体構造物Ａの内部は、適度な関節部に強弱のある各部が異なったバネ・ゴム系（バネ）Ｃ、適当な位置に各部重さの異なったおもりＢを組み込んで、内外部のバネ部を除く全体を固体にした比較的柔軟な耐久性がある材質のものを使って、立体構造物の下部には適度なおもり、底部の内側部は適度なバネ・ゴム系（ゴム）Ｄを配置した構成にする。立体構造物の底部の外側部は立体構造物が立った状態で移動しやすいように、摩擦の小さい滑りよい材質のものにするか、底部にボールベアリング系などのものを装着するようにし、立体構造物の底部と接触する面への滑り損傷などの負担が小さいように工夫したものにする。立体構造物は運動負荷に応じて、大きさ、重量などの各変化したものを設けるようにする。【００２８】  図３で、立体構造物のバネの周囲はゴム系などの弾力性があるものを併用し、バネとゴム系の弾性強度は追従したものでバランスが取れたものにする。おもりはバネとゴム系の相乗作用の威力が効果的になる部分に配置するのが最良である。立体構造物は大きな外力、内力の衝撃や圧力が頻繁に掛かっても耐えられるものにする。立体構造物内部はおもり、バネ、ゴム系、クッション系、その他のものを混ぜ合わせた固体物である。【００２９】  図３は、格闘技系のスポーツ全般、各スポーツトレーニングなどを立体構造物を固定・移動した状態での各立ち技である打撃系、組み技の殴る、蹴る、叩く、押す、突く、引く、各投げ技、組み合う、タックル、関節技などの導入段階での攻め込み・攻め終わるまでの練習。その他の筋力トレーニングで立体構造物の腰回りに両手を絡ませたり、首、腕、手首を掴んでの筋力アップなど。各リハビリテーション、ストレッチング、リラクセーション、ストレス解消で立体構造物の腕、手首を手で押したり、引っ張たりする、全体を殴る、蹴る、叩く、押すなどの適応できるようにしたものにする。【００３０】  図４は、立体構造物の概略図例４で、立体構造物Ａの内部は、適度な関節部に強弱のある各部が異なったバネ・ゴム系（バネ）Ｃ、適当な位置に各部重さの異なったおもりＢを組み込んで、内外部のバネ部を除く全体を固体にした比較的柔軟な耐久性がある材質のものを使って、立体構造物の擬似身体モデルはうつ伏せの横たっわた状態にあり、各関節部には適度なバネ・ゴム系（バネ）、胸腹部には適度なおもりと適度なバネ・ゴム系（ゴム）Ｄを配置し、背中部を意図的に丸くした構成の���のにする。立体構造物は運動負荷に応じて、大きさ、重量、おもりの重さ、背中の丸さなどの各変化したものを設けるようにする。【００３１】  図４で、立体構造物のバネの周囲はゴム系などの弾力性があるものを併用し、バネとゴム系の弾性強度は追従したものでバランスが取れたものにする。おもりはバネとゴム系の相乗作用の威力が効果的になる部分に配置するのが最良である。立体構造物は大きな外力、内力の衝撃や圧力が頻繁に掛かっても耐えられるものにする。立体構造物内部はおもり、バネ、ゴム系、クッション系、その他のものを混ぜ合わせた固体物である。【００３２】  図４で、立体構造物の擬似身体モデルの形状、重さなどは一般的に各スポーツタイプの体型を参考にしたものにするが、その限りではない。又、立体構造物の腰部の関節部は、特にバネ、ゴム系の強度を高める必要があり、腰、膝、肩などは前後の弾力に加え、左右への弾力もできるのが望ましい。従って、各運動種目の人間の体型、筋力、関節に近いものである、おもり、バネ、ゴム系、クッション系などで整合するようにした立体構造物が理想である。立体構造物への作用、反作用は運動能力レベルによって、負荷能力が変化したものにする。【００３３】  図４は、格闘技系のスポーツ全般、各スポーツトレーニングなどを立体構造物を固定・移動することでの各固め技（寝技）である組み技の組み合う、固め技（寝技）、関節技、絞め技などの導入段階での技に入る、技の連続、攻め込み・攻め終わるまでの練習。その他の筋力トレーニングで立体構造物をひっくり返す上体を中心のバランス感覚、集中力、持久力、腹筋、背筋、腕筋、など。各リハビリテーション、ストレッチング、リラクセーション、ストレス解消で立体構造物を身体全体で押したり、引っ張たりしてのバランス感覚、柔軟性などの適応できるようにしたものにする。【００３４】  図５は、立体構造物Ａの下部に適度なおもりＢ、その下には適度なバネ・ゴム系（ゴム）Ｄを配置し、図中の上部分を下にするのが困難なようにした形状のものを構成するようにする。立体構造物の内部は、適度な強弱のある各バネ・ゴム系（ゴム）を適当な位置に配置し、各重さの異なったおもりを組み込んで、内外部の全体を固体にした比較的柔軟な耐久性がある材質のものを使ったものにする。立体構造物は運動負荷に応じて、大きさ、形状などの各変化したものを設けるようにする。立体構造物の形状丸み、バネ・ゴム系（ゴム）の強弱、おもりの位置を変えることで、より高い抵抗体が可能である。【００３５】  図５で、立体構造物のバネの周囲はゴム系などの弾力性があるものを併用し、バネとゴム系の弾性強度は追従したものでバランスが取れたものにする。おもりはバネとゴム系の相乗作用の威力が効果的になる部分に配置するのが最良である。立体構造物は大きな外力、内力の衝撃や圧力が頻繁に掛かっても耐えられるものにする。立体構造物内部はおもり、バネ、ゴム系、クッション系、その他のものを混ぜ合わせた固体物である。【００３６】  図５は、各種のスポーツ全般、各スポーツトレーニングなどを立体構造物を固定・移動することでの運動能力、運動感覚の基本から応用などの導入練習。その他の筋力トレーニングで立体構造物をひっくり返す���乗るなどの身体全体を使ってのバランス感覚、集中力、持久力、腹筋、背筋、腕筋、など。各リハビリテーション、ストレッチング、リラクセーション、ストレス解消で立体構造物を身体全体で押したり、乗ったりのバランス感覚、柔軟性などの適応できるようにしたものにする。【００３７】  図１から図５は立体構造物の概略図例であり、本発明の特許請求の範囲を満足すれば、この限りではない。
【産業上の利用可能性】
【００３８】  本発明に係る負荷保有の立体構造物運動用具は、工業的に量産する事が可能であるため、産業上の利用可能性を有する。
【図面の簡単な説明】
【００３９】
【図１】    立体構造物（固定）の概略図例１
【図２】    立体構造物（移動）の概略図例２
【図３】    立体構造物の概略図例３
【図４】    立体構造物の概略図例４
【図５】    立体構造物の概略図例５
【符号の説明】
【００４０】図中の文字、数字は次の通りである。
Ａ    ：立体構造物                  Ｂ    ：おもり
Ｃ    ：バネ・ゴム系（バネ）        Ｄ    ：バネ・ゴム系（ゴム）
Ｅ    ：立体構造物固定盤            Ｆ    ：立体構造物サポート口
Ｇ    ：立体構造物サポート枠        Ｈ    ：立体構造物サポートバネ
Ｉ    ：立体構造物サポート車
【図１】
2007105419.tif 000003
【図２】
2007105419.tif 000004
【図３】
2007105419.tif 000005
【図４】
2007105419.tif 000006
【図５】
2007105419.tif 000007